(57)【要約】      （修正有）【課題】スモーク又はヘイズと酸素との交換を強化する構造体を提供する。【解決手段】少なくとも１つの植物成分を有するコア２０と、該コア２０の表面に被覆される防湿層３０と、該防湿層の表面に被覆される被覆層４０と、を含む微粒子である。該植物成分は、キンギンカ、ハッカ、ユーカリ、キキョウ、ブドウ、ビワまたはパイナップルに含まれる成分である。【選択図】図１
0003213169.tif 000002
【実用新案登録請求の範囲】
【請求項１】
スモーク、ヘイズ等の微分子と酸素との交換を強化する粉末構造であって、
少なくとも１つの植物成分を有するコアと、
該コアの表面に被覆される防湿層と、
該防湿層の表面に被覆される被覆層と、
を含むスモーク、ヘイズ等の微分子と酸素との交換を強化する粉末構造。
【請求項２】
該植物成分は、キンギンカ、ハッカ、ユーカリ、キキョウ、ブドウ、ビワ及びパイナップルからなる群から選ばれる請求項１に記載のスモーク、ヘイズ等の微分子と酸素との交換を強化する粉末構造。
【請求項３】
該植物成分はビワヨウである請求項２に記載のスモーク、ヘイズ等の微分子と酸素との交換を強化する粉末構造。
【請求項４】
該植物成分はユーカリ油である請求項２に記載のスモーク、ヘイズ等の微分子と酸素との交換を強化する粉末構造。
【請求項５】
該植物成分はブロメラインである請求項２に記載のスモーク、ヘイズ等の微分子と酸素との交換を強化する粉末構造。
【請求項６】
該植物成分はブドウ種である請求項２に記載のスモーク、ヘイズ等の微分子と酸素との交換を強化する粉末構造。
【考案の詳細な説明】
【技術分野】
【０００１】
本考案は物品構造に関し、特にスモーク、ヘイズ等の微分子と酸素との交換を強化する粉末構造に関する。
【背景技術】
【０００２】
科学技術と工業の発展は人間社会に大きな進歩をもたらすが、それに伴う空気汚染がますます深刻になり、健康に不可避な損害をもたらす。世界保健機関が２０１３年に空気汚染を発癌性物質として分類し、そして、近年、環境保護の意識及び健康の志向が高くなるため、微小懸濁粒子（ＰＭ２．５）による人体健康への影響が各国に注目されている。
【０００３】
空気汚染とは空気に粉塵、ヘイズ等の有害物質が存在することを指し、一部の有害物質が肺部に蓄積し、心肺機能の障害を引き起こし、且つ、有害物質が上皮細胞の透過性を増加し、保護バリアを損害し、気管の粘液を増加するとともに、気管上皮細胞の繊毛を破壊し、繊毛揺動の連続性を損害し、異物除去の機能を制限し、気管、気管支又は肺胞の慢性炎症を引き起こし、個体は咳、喀痰、喉の痛み、くしゃみ、鼻水垂れ等の症状が発生しやすくなり、深刻な場合は気管支炎、肺炎、喘息、副鼻腔癌、肺機能低下、肺癌、慢性閉塞性肺疾患等の疾患が発生する。
【０００４】
空気汚染が新しい健康問題であるため、現在では、ほとんどのメーカーは空気を交換する製品の開発に取り組んでおり、それにより環境における汚染因子による人体健康への悪影響を減少させている。
【考案の概要】
【考案が解決しようとする課題】
【０００５】
本考案の主な目的は、スモーク、ヘイズ等の微分子と酸素との交換を強化する粉末構造を提供して、人体に害を及ぼす空気中の化学物質を減少させるという効果を達成することである。
【０００６】
本考案の別の目的は、スモーク、ヘイズ等の微分子と酸素との交換を強化する粉末構造を提供して、健康食品、ホーム環境クリーニング製品等の用品に適用でき、市場での価値及び販売量を増加することである。
【課題を解決するための手段】
【０００７】
従って、上記目的を達成するために、本考案はスモーク、ヘイズ等の微分子と酸素との交換を強化する粉末構造を開示し、少なくとも１つの植物成分を有するコアと、該コアの表面に被覆される防湿層と、該防湿層の表面に被覆される被覆層とを含む。
【０００８】
好ましくは、該植物成分は、キンギンカ、ハッカ、ユーカリ、キキョウ、ブドウ、ビワ、パイナップル又は上記少なくとも２つの組み合わせである。
【０００９】
さらに、該植物成分は、ビワヨウ、ユーカリ油、ブロメライン又はブドウ種である。
【図面の簡単な説明】
【００１０】
【図１】図１は本考案の好ましい実施例の模式図である。
【考案を実施するための形態】
【００１１】
以下、本考案をさらに詳細に説明するために、本考案の好ましい実施例と図面を参照しながら説明する。
【００１２】
図１を参照し、本考案の好ましい実施例に係るスモーク、ヘイズ等の微分子と酸素との交換を強化する粉末構造（１０）は、主にコア（２０）、防湿層（３０）及び被覆層（４０）から構成され、
該コア（２０）は複数の植物成分を有し、具体的に、該植物成分は、キンギンカ、ハッカ、ユーカリ油、キキョウ、ブドウ、ビワヨウ及びブロメラインを含む。
【００１３】
該防湿層（３０）は、該コア（２０）の表面に被覆され、該コア（２０）が環境における湿気を吸収して変質する状況の発生を防止することに用いられる。該防湿層（３０）の組成は本考案の属する技術分野の公知の知識であり、ここで繰り返し説明しない。
【００１４】
該被覆層（４０）は、該防湿層（３０）の表面に被覆され、スモーク、ヘイズ等の微分子と酸素との交換を強化する該粉末構造（１０）の触感又は外観を変えて、消費者の受け入れる程度及び識別度を増加することに用いられる。
【００１５】
上記構造の組成により、本考案に係るスモーク、ヘイズ等の微分子と酸素との交換を強化する粉末構造（１０）は、空気と接触して環境の湿度の影響を受けず、該コア（２０）における植物成分の活性を維持し、そして、スモーク、ヘイズ等の微分子と酸素との交換を強化する該粉末構造（１０）は空気中の汚染物質と接触する場合、該コア（２０）における植物成分が汚染物質を吸着するだけでなく、スモーク又はヘイズ等の微分子と酸素との交換率を高め、空気中の汚染物質の比例を低下させ、それによりこれらの微分子による肺部又は気管への悪影響を減少させる。また、該被覆層（４０）によって、スモーク、ヘイズ等の微分子と酸素との交換を強化する該粉末構造（１０）の外観又は触感は異なり、商業販売の可変性及び柔軟性を向上させる。
【００１６】
さらに、本考案に係るスモーク、ヘイズ等の微分子と酸素との交換を強化する粉末構造（１０）の外形は制限されず、例えば球状、柱状であってもよく、いくつかの粉末構造を包装袋又は缶に集めることにより、運送又は販売を容易にし、また、使用方式は需要に応じて変化し、例えば、該粉末構造をキャリアと混合して噴霧体、液体又は崩壊可能な錠剤等を製造することができる。
【００１７】
以上は本考案の各好ましい実施例によって本考案の特許請求の範囲と明細書を説明するものに過ぎず、本考案を制限するものではなく、従って、本考案の技術的特徴の簡単な変更又は数量の変化は、本考案の保護範囲に属する。
【図１】
0003213169.tif 000003
【手続補正書】
【提出日】平成29年5月24日(2017.5.24)
【手続補正１】
【補正対象書類名】実用新案登録請求の範囲
【補正対象項目名】全文
【補正方法】変更
【補正の内容】
【実用新案登録請求の範囲】
【請求項１】
微粒子であるスモーク又はヘイズと酸素との交換を強化する構造体であって、
少なくとも１つの植物成分を有するコアと、
該コアの表面に被覆される防湿層と、
該防湿層の表面に被覆される被覆層と、
を含む微粒子であるスモーク又はヘイズと酸素との交換を強化する構造体。
【請求項２】
該植物成分は、キンギンカ、ハッカ、ユーカリ、キキョウ、ブドウ、ビワ及びパイナップルからなる群から選ばれる請求項１に記載の微粒子であるスモーク又はヘイズと酸素との交換を強化する構造体。
【請求項３】
該植物成分はビワヨウである請求項２に記載の微粒子であるスモーク又はヘイズと酸素との交換を強化する構造体。
【請求項４】
該植物成分はユーカリ油である請求項２に記載の微粒子であるスモーク又はヘイズと酸素との交換を強化する構造体。
【請求項５】
該植物成分はブロメラインである請求項２に記載の微粒子であるスモーク又はヘイズと酸素との交換を強化する構造体。
【請求項６】
該植物成分はブドウ種である請求項２に記載の微粒子であるスモーク又はヘイズと酸素との交換を強化する構造体。
【手続補正書】
【提出日】平成29年8月25日(2017.8.25)
【手続補正１】
【補正対象書類名】実用新案登録請求の範囲
【補正対象項目名】全文
【補正方法】変更
【補正の内容】
【実用新案登録請求の範囲】
【請求項１】
微粒子であるスモーク又はヘイズと酸素との交換を強化する構造体であって、
少なくとも１つの植物成分を有するコアと、
該コアの表面に被覆される防湿層と、
該防湿層の表面に被覆される被覆層と、
を含む微粒子であるスモーク又はヘイズと酸素との交換を強化する構造体。
【請求項２】
該植物成分は、キンギンカ、ハッカ、ユーカリ、キキョウ、ブドウ、ビワまたはパイナップルに含まれる請求項１に記載の微粒子であるスモーク又はヘイズと酸素との交換を強化する構造体。
【請求項３】
該植物成分はビワヨウである請求項２に記載の微粒子であるスモーク又はヘイズと酸素との交換を強化する構造体。
【請求項４】
該植物成分はユーカリ油である請求項２に記載の微粒子であるスモーク又はヘイズと酸素との交換を強化する構造体。
【請求項５】
該植物成分はブロメラインである請求項２に記載の微粒子であるスモーク又はヘイズと酸素との交換を強化する構造体。
【請求項６】
該植物成分はブドウ種である請求項２に記載の微粒子であるスモーク又はヘイズと酸素との交換を強化する構造体。